(57)【要約】【課題】本発明は、より簡単に、商品情報の中から必要な什器を抽出するための方法を提供することを目的とする。【解決手段】本発明の情報出力方法は、部署名または業務または職制のいずれかに関する情報の入力を受け付けるステップと、前記受け付けた情報を元に、部署名または業務または職制のいずれかに関する情報と商品に関する情報とを対応付けて管理している、予めメモリに格納されたテーブルから、商品に関する情報を参照するステップと、前記参照した商品に関する情報を出力するステップとから解決される。【選択図】                  図１
2004234121.tif 000002
【特許請求の範囲】
【請求項１】
部署名または業務または職制のいずれかに関する情報の入力を受け付けるステップと、
前記受け付けた情報を元に、部署名または業務または職制のいずれかに関する情報と商品に関する情報とを対応付けて管理している、予めメモリに格納されたテーブルから、商品に関する情報を参照するステップと、
前記参照した商品に関する情報を出力するステップと
を備えたことを特徴とする情報出力方法。
【請求項２】
さらに、通信を介して人事異動に関する情報を収集するステップを備え、
前記参照するステップは、前記収集するステップが収集した情報を元に、前記テーブルを参照することを特徴とする付記１記載の情報出力方法。
【請求項３】
前記商品は、什器であることを特徴とする付記１記載の情報出力方法。
【請求項４】
部署名または業務または職制のいずれかに関する情報の入力を受け付ける手段と、
部署名または業務または職制のいずれかに関する情報と商品に関する情報とを対応付けて管理している、メモリに格納されたテーブルと、
前記受け付けた情報を元に、前記テーブルから、商品に関する情報を参照する手段と、
前記参照した商品に関する情報を出力する手段と
を備えたことを特徴とする情報出力装置。
【請求項５】
コンピュータを動作させるためのプログラムであって、コンピュータを、部署名または業務または職制のいずれかに関する情報の入力を受け付ける手段と、
前記受け付けた情報を元に、部署名または業務または職制のいずれかに関する情報と商品に関する情報とを対応付けて管理している、予めメモリに格納されたテーブルから、商品に関する情報を参照する手段と、
前記参照した商品に関する情報を出力する手段
として機能させるための情報出力プログラム。
【発明の詳細な説明】
【０００１】
【発明の属する技術分野】
本発明は、部署名または業務または職制のいずれかに関する情報を元に、商品に関する情報を出力する情報出力方法及び、情報出力装置に関する。
【０００２】
【従来の技術】
企業で利用される什器には、机、椅子、ロッカーを初めとして様々な種類がある。また、例えば机と一口に言っても、用途や環境に応じて様々な種類がある。
このような、企業内で利用される什器のような商品に関する情報を、それら商品を利用する顧客に提供するための技術として、例えば、商品の販売店と顧客との間で予め契約した販売条件をデータベースに管理しておき、通信回線を介して顧客から注文のアクセスがあった場合に、該データベースに登録済みの情報を元に、該顧客の契約条件に応じた商品の選択肢や価格を含んだ発注用画面を表示する技術が開示されている。（特許文献１参照）。しかし、この特許文献１で述べられている技術は、顧客との契約内容に応じて商品情報を出力するものであり、この技術では未契約の顧客に対応することは出来ない。
また、企業に於いては、人事異動に伴い什器の補充や整備作業が発生することが多い。関連する技術として、インタネット等を介して、人事情報や冠婚葬祭情報を抽出し、抽出した情報を電子的に配信する技術がある。（特許文献２、特許文献３参照）。しかし、これらの従来技術は、単にインタネット上から該当する情報を抽出するのみであり、抽出した情報をどのように利用するかの処理については述べられていない。
【０００３】
【特許文献１】特開２００２−６３４３７公報
【０００４】
【特許文献２】特開２００２−２１５７７７公報
【０００５】
【特許文献３】特開２００２−５７８７２公報
【０００６】
【発明が解決しようとする課題】
企業に必要な什器を手配する場合には、什器を配置するフロアのレイアウトや什器の用途等を考慮して、什器メーカが提供する商品情報を元に、利用者自身が最適な商品、すなわち什器を選択していく必要がある。しかし、膨大な種類の商品の中から最適な商品を選択するのは、利用者にとって困難な作業であった。またこれは、利用者にとってのみならず、利用者へ提案すべき什器を選択する立場である、什器の販売担当者についても同様の問題であった。
本発明は、より簡単に、商品情報の中から必要な什器を抽出するための方法を提供することを目的とする。
【０００７】
【課題を解決するための手段】
本発明の情報出力方法は、部署名または業務または職制のいずれかに関する情報の入力を受け付けるステップと、前記受け付けた情報を元に、部署名または業務または職制のいずれかに関する情報と商品に関する情報とを対応付けて管理している、予めメモリに格納されたテーブルから、商品に関する情報を参照するステップと、前記参照した商品に関する情報を出力するステップとを含む。
【０００８】
従って本発明の情報出力方法によれば、対象としている部門の情報を入力するだけで、必要な什器情報を抽出することが可能になる。
【０００９】
本発明の情報出力方法は更に、通信を介して人事異動に関する情報を収集するステップを備え、前記参照するステップは、前記収集するステップが収集した情報を元に、前記テーブルを参照する。
【００１０】
従って本発明の情報出力方法によれば、インタネット等を介して新規採用、異動に関する情報を収集して、収集した情報を元に什器情報を出力するので、什器の販売担当者が顧客に対し販売促進を行なうべき対象製品の情報を容易に出力することができる。
【００１１】
【発明の実施の形態】
以下、本発明の実施の形態について図面を用いて説明する。図１は本発明を実現するためのシステム構成図である。図示のように、本実施形態は、サーバコンピュータ（以下サーバ）であるサーバ１と、サーバ１に処理依頼を送信したりサーバ１からの処理結果を受信したりするコンピュータである利用者端末２と、サーバ１と利用者端末２とを接続する例えばインタネット等のネットワーク３とから構成される。また、ネットワーク３には、人事異動に関する情報を提供するコンピュータである他のコンピュータ４が接続されている。
【００１２】
なお、図１では、サーバ１や利用者端末２や他のコンピュータ４は例としてそれぞれ１台がネットワーク３に接続する構成になっているが、この台数に限るものではない。
【００１３】
サーバ１は、入出力プログラム１１や更新プログラム１２や検索プログラム１３や収集プログラム１４や、部署名マスタ２１や職制マスタ２２や商品マスタ２３や顧客マスタ２４や顧客別台帳２５や、また入力手段１８や出力手段１９を備えている。
【００１４】
入出力プログラム１１は、サーバ１が利用者端末２からの処理依頼を受信したり処理結果を送信したり、また入力手段１８からの入力を受け付けたり処理結果を出力手段１９へ出力したりするなど、サーバ１がネットワーク３を介して他のコンピュータとデータの送受信を行なったり、サーバ１が備える入出力手段を機能させるための処理を記述したプログラムである。
【００１５】
更新プログラム１２は、入出力プログラム１１が受け付けたデータを元に、部署名マスタ２１や職制マスタ２２や商品マスタ２３や顧客マスタ２４や顧客別台帳２５のデータを更新するための処理を記述したプログラムである。
【００１６】
検索プログラム１３は、入出力プログラム１１が受け付けたデータを元にマスタ類や台帳を検索して、必要な情報を参照するための処理を記述したプログラムである。
【００１７】
収集プログラム１４は、他のコンピュータ４が提供している人事異動や新規採用に関する情報を、ネットワーク３を介して参照し抽出するための処理を記述したプログラムである。
【００１８】
部署名マスタ２１は、部署または業務に関する情報と商品に関する情報とを対応付けて管理するための、更新プログラム１２により予め登録されるデータファイルである。
【００１９】
職制マスタ２２は、職制に関する情報と商品に関する情報とを対応付けて管理するための、更新プログラム１２により予め登録されるデータファイルである。
【００２０】
商品マスタ２３は、商品に関する情報を管理するための、更新プログラム１２により予め登録されるデータファイルである。
【００２１】
顧客マスタ２４は、商品を購入する顧客を一意に識別するための情報を管理する、更新プログラム１２により予め登録されるデータファイルである。
【００２２】
顧客別台帳２５は、各顧客にどの商品が納入されているかを管理するための、更新プログラム１２により適宜更新されるデータファイルである。
【００２３】
入力手段１８は、サーバ１へデータを入力したり指示を与えたりするためのものであって、例えばキーボードやマウス等の、コンピュータに接続される入力用の機器である。また出力手段１９は、サーバ１がデータを出力するためのものであって、ディスプレイやプリンタ等のコンピュータに接続される出力用の機器である。
【００２４】
サーバ１は、上記のような構成により、入力された情報を元に、必要な什器に関する情報を出力するための処理を行なう。
【００２５】
利用者端末２は、サーバ１へネットワーク３を介して処理依頼を送信したり、処理結果を受信したりする機能を備えたコンピュータである。サーバ１との送受信機能を備えたコンピュータであれば、どのようなものであっても良い。
【００２６】
他のコンピュータ４は、ネットワーク３を介して企業の人事異動や新規採用に関する情報を提供するコンピュータである。ネットワーク３へこのような情報提供を行なう機能を備えたコンピュータであれば、どのようなものであっても良い。
【００２７】
図２（Ａ）は、部署名マスタ２１に格納されたデータの例を示した図である。部署名マスタ２１は、サーバ１が部署または業務に関する情報と商品に関する情報とを対応付けて管理するための、更新プログラム１２により予め登録されるデータファイルであって、部署名や業務内容や商品を一意に識別するための型番等の情報をそれぞれ対応付けて管理している。
【００２８】
この例では、部署名が総務であり業務内容が事務である情報と対応付けて、商品型番として、ｄｓ００２、ｃｂ００３、ｃｈ００２がそれぞれ登録されている。このような部署名マスタ２１により、サーバ１は、入力された部署名や業務を元に、対応する商品に関する情報を検索することができる。
【００２９】
図２（Ｂ）は、職制マスタ２２に格納されたデータの例を示した図である。職制マスタ２２は、サーバ１が職制に関する情報と商品に関する情報とを対応付けて管理するための、更新プログラム１２により予め登録されるデータファイルであって、職制や商品を一意に識別するための型番等の情報をそれぞれ対応付けて管理している。
【００３０】
この例では、職制が部長である情報と対応付けて、商品型番として、ｄｓ００３、ｃｈ００３がそれぞれ登録されている。このような職制マスタ２２により、サーバ１は、入力された職制に関する情報を元に、対応する商品に関する情報を検索することができる。
【００３１】
図２（Ｃ）は、商品マスタ２３に格納されたデータの例を示した図である。商品マスタ２３は、商品に関する情報を管理するための更新プログラム１２により予め登録されるデータファイルであって、商品を一意に識別するための型番や、商品名やその商品に使用されている部材の特性を示す部材や、その商品が主に使用される部署名や業務名や役職名を登録した用途等の情報をそれぞれ対応付けて管理している。商品マスタ２３の型番欄に登録されているデータは、部署名マスタ２１、職制マスタ２２や後に述べる顧客別台帳２５の型番もしくは納入物欄と対応付けられている。
【００３２】
この例では、１つめのデータとして、ｄｓ００１という型番の商品は、商品名が机であり部材が天板小であり、営業に関連する部署や、一般社員用にもっぱら用いられるというデータが登録されている。このような商品マスタ２３により、サーバ１は、商品の型番に関する情報を元に、対応する商品の情報を検索することができる。
【００３３】
図３（Ｄ）は、顧客マスタ２４に格納されたデータの例を示した図である。顧客マスタ２４は、商品を購入する顧客を一意に識別するための情報を管理する、更新プログラム１２により予め登録されるデータファイルであって、顧客を一意に識別するためのＩＤや追番や、顧客名や、顧客所在地である住所や、その他顧客に関する備考などの情報をそれぞれ対応付けて管理している。
【００３４】
なお、どのようにＩＤや追番を付与するかは、どのような単位で顧客を管理するかに応じて適宜決められるものである。本実施例では、一例として、各顧客を住所ごとに分けて管理するためのＩＤ及び追番を付与している。
【００３５】
図３（Ｅ）は、顧客別台帳２５に格納されたデータの例を示した図である。顧客別台帳２５は、各顧客にどの商品が納入されているかを管理するための、更新プログラム１２により適宜更新されるデータファイルであって、顧客を一意に識別するためのＩＤや追番や、商品を納入した日付である納入日や、納入した商品の型番である納入物や、納入した商品の個数や、納入先の部署名や、納入先のフロアに関する情報などの情報をそれぞれ対応付けて管理している。
【００３６】
なお、顧客別台帳２５のＩＤ欄には、顧客ごとのＩＤ及び追番が登録されており、このデータは顧客マスタ２４のＩＤ及び追番と対応付けられている。
【００３７】
この顧客マスタ２４及び顧客別台帳２５の例では、例えば、ＩＤがＸ００１で追番が０１である顧客としてＡ社の本社が登録されており、Ａ社本社の５階の総務部には、２０００年５月１日に型番がｄｓ００２である机とｃｈ００２である椅子がそれぞれ２０台、ｃｂ００３であるキャビネットが２１台、ｄｓ００３である机とｃｈ００３である椅子がそれぞれ１台ずつ納入されたというデータが登録されている。このような顧客マスタ２４及び顧客別台帳２５により、サーバ１は、過去にどの顧客にどのような商品を納入したかの情報を管理することができる。
【００３８】
次に、図４乃至図５に示すフローチャートを用いて、本発明の動作例を説明する。なお、図４乃至図５に示す動作に先立って、利用者端末２から送信された情報または、入力手段１８から入力された情報を入出力プログラム１１が受け付け、該情報を元に更新プログラム１２は各マスタや台帳へデータを予め登録しているが、これは一般的に行なわれているデータ登録または更新または削除の処理であるため、詳細な説明は割愛する。
【００３９】
図４は、入力された部署等の情報を元に什器に関する情報を得るまでの処理として、本発明のサーバ１が行なう動作を説明するためのフローチャートである。
【００４０】
まず図４のステップＳ４１で、サーバ１の入出力プログラム１１は、入力手段１８から入力された、またはネットワーク３を介して利用者端末２から受信した、部署名または業務または職制に関する情報のうちのいずれか、またはいくつかを受け付ける。
【００４１】
ステップＳ４２で、検索プログラム１３は、入出力プログラム１１が受け付けた情報を元に、マスタを検索する。検索の際には、ステップＳ４１で部署名または業務に関する情報を受け付けた場合には部署名マスタ２１を、職制に関する情報を受け付けた場合には職制マスタ２２を検索対象とする。検索プログラム１３は、マスタを検索した結果として、入出力プログラム１１が受け付けた情報に対応する什器の型番に関する情報を得て、さらに、該型番を元に商品マスタ２３を参照して、該型番と対応付けられている商品に関する情報を得る。
【００４２】
例えば、ステップＳ４１で入出力プログラム１１が受け付けたのが部署名である「総務」というデータであったとすると、検索プログラム１３は、まず部署名マスタ２１の中から部署名が「総務」に該当する商品の型番として、ｄｓ００２、ｃｂ００３、ｃｈ００２の３つの情報を得る。続いてそれらの３つの型番を元に商品マスタ２３を検索し、例えばｄｓ００２という型番は、天板が中型タイプの机であるという商品情報を得る。
【００４３】
なお、入出力プログラム１１が部署名または業務に関する情報と職制に関する情報との両方を受け付けた場合には、両方のマスタを検索対象としても良い。この場合には、部署名または業務に関する情報を元に部署名マスタ２１を、職制に関する情報を元に職制マスタ２２を検索する。そして、検索結果として得られた型番を元に、両方のマスタに登録されていた型番のみについて商品マスタ２３から商品情報を検索するようにしても良いし、それぞれのマスタに登録されていた型番を併せて商品マスタ２３から検索するようにしても良い。
【００４４】
ステップＳ４３で、入出力プログラム１１は、ステップＳ４２で検索プログラム１３が得た商品に関する情報を、出力手段１９またはネットワーク３を介して利用者端末２へ出力する。
【００４５】
図４の処理によって、サーバ１は、利用者端末２または入力手段１８から入力された部署名または業務または職制に関する情報を元に、それらの部署または業務または職制に適応した什器に関する情報を出力することができるようになる。
【００４６】
図５は、ネットワークを介して人事異動に関する情報を収集し、収集した情報を元に什器に関する情報を得るまでの処理として、本発明のサーバ１が行なう動作を説明するためのフローチャートである。この処理は、利用者からの指示に応じて行なわれても良いし、予め設定された所定のタイミングに応じて行なわれても良い。
【００４７】
まず図５のステップＳ５１で、収集プログラム１４は、顧客マスタ２４に登録されている顧客名欄を参照して得た顧客名を元に、ネットワーク３を介して他のコンピュータ４が提供する情報を検索して、該顧客に関連する人事異動や新規採用に関する情報として、該顧客名毎に、人事異動や新規採用のあった部署名または業務または職制に関する情報と、異動したまたは採用された人数に関する情報とを収集する。この処理においては、顧客マスタ２４に登録されている全ての顧客名を情報収集の対象としても良いし、いずれかのみを対象としても良い。
【００４８】
次にステップＳ５２で、検索プログラム１３は、収集プログラム１４が収集した顧客名毎の部署名または業務に関する情報を元に部署名マスタ２１を、もしくは職制に関する情報を元に職制マスタ２２を検索し、検索の結果、部署名または業務、もしくは職制に応じた商品の型番を得る。そして、検索結果として得られた型番を元に、商品マスタ２３から商品情報を検索する。
【００４９】
そして、ステップＳ５３で、入出力プログラム１１は、顧客名と、部署名または業務名または職制と、収集プログラム１４が収集した異動したまたは採用された人数に関する情報と、ステップＳ５２で検索した商品情報と、をそれぞれ対応付けて、出力手段１９またはネットワーク３を介して利用者端末２へ出力する。
【００５０】
例えば、収集プログラム１４が、２００１年３月１日に、顧客ＩＤがＸ００１であるＡ社の総務部の人事異動情報として、課長が一人増員されたという情報を収集したとする。
【００５１】
すると、検索プログラム１３は、「総務」という部署名をキーとして部署名マスタ２１を検索し、対応する商品の型番として、ｄｓ００２、ｃｂ００３、ｃｈ００２を得る。続いて、それらの型番を元に商品マスタ２３を検索して、ｄｓ００２は机であり、ｃｂ００３はキャビネットであり、ｃｈ００２は椅子であるという商品情報を得る。なお、「総務」の代わりに、「課長」という職制をキーとして職制マスタ２２を検索して型番を得ても良いし、「総務」と「課長」の両方をそれぞれキーとして両方のマスタを検索して得た型番の情報をマージして利用しても良い。
【００５２】
入出力プログラム１１は、上記の情報を元に、例えば図６に示すような画面を出力する。ここでは、どの顧客に、いつどのような異動情報があり、どの商品を何個提案すればよいかの情報を対応付けて表示している。
【００５３】
なお、収集プログラム１４が人事情報を収集する際には、顧客マスタ２４内に登録されている顧客名に加えて、顧客別台帳２５の該顧客名に対応する部署名をキーにして人事情報を収集しても良い。また、顧客マスタ２４に登録されていない顧客名を含めて検索しても良い。顧客マスタ２４に登録されていない顧客名について情報を検索すれば、入出力プログラム１１が出力する情報は、新規顧客の開拓のための提案用情報として利用可能になる。
【００５４】
図５の処理によって、サーバ１は、什器の販売担当者に、顧客に提案するのに適した商品の情報を、時期を逸せずに提供することができる。
【００５５】
また、図６に示した情報に従って、実際に３点の商品の提案が行われ、提案された商品が２００１年３月３０日に納入された場合には、更新プログラム１２により、顧客別台帳２５へ、図３（Ｅ）に納入日が２００１．０３．３０のデータとして示されている３件のデータが納入実績として追加更新される。
【００５６】
なお、上記実施例では、部署名の入力を受けて商品に関する情報を出力しているが、これに加えて、例えば、配置マスタとして部署名と各部署の業務特性を考慮したフロア内の配置とを対応付けて登録したマスタを備えておけば、部署名の入力を受けた際に、商品情報の出力と併せて、部署名を元に配置マスタを参照して、フロア内の各部署の配置を決定する際にフロア内のどの位置にその部署を配置するのが良いかの参考情報を出力することも可能である。
【００５７】
また、上記実施例では、商品情報として机や椅子等の完成品の形態を出力しているが、商品は完成品でなくても良く、例えば机であれば、天板、足、引き出し等の部品ごとに型番を設定し、組み合わせ可能なように構成されたものであっても構わない。
【００５８】
なお、図示はしていないが、サーバ１は、ＣＰＵ（Ｃｅｎｔｒａｌ  Ｐｒｏｃｅｓｓｉｎｇ  Ｕｎｉｔ）によって装置全体が制御されているコンピュータである。ＣＰＵには、バスを介してＲＡＭ（Ｒａｎｄｏｍ  Ａｃｃｅｓｓ  Ｍｅｍｏｒｙ）、ハードディスク装置（ＨＤＤ）、グラフィック処理部、入力インタフェース、および通信インタフェース等が接続されている。
【００５９】
ＲＡＭには、ＣＰＵに実行させるＯＳ（Ｏｐｅｒａｔｉｎｇ  Ｓｙｓｔｅｍ）のプログラムやその他のプログラムの少なくとも一部が一時的に格納される。また、ＲＡＭには、ＣＰＵによる処理に必要な各種データが格納される。ＨＤＤには、ＯＳやその他のプログラムおよびデータが格納される。
【００６０】
グラフィック処理部には、モニタ装置が接続されており、ＣＰＵからの命令に従って入力画面などをモニタ装置に表示させる。入力インタフェースには、キーボードやマウス等が接続されており、キーボードやマウス等から送られてくる信号を、バスを介してＣＰＵに送信する。
【００６１】
通信インタフェースは、ネットワーク３に接続されており、ネットワーク３を介して利用者端末２や他のコンピュータ４との間で、データの送受信を行なう。
【００６２】
本発明の実施の形態に係る情報出力プログラムを上述のコンピュータで実行させることにより、コンピュータを情報出力装置として機能させることができる。
【００６３】
また、上記の各コンピュータが有すべき機能の処理内容は、コンピュータで読み取り可能な記録媒体に記録されたプログラムに記述させておくことができる。このプログラムをコンピュータで実行することにより、上記処理がコンピュータで実現できる。
【００６４】
コンピュータで読み取り可能な記録媒体としては、磁気記録装置や半導体メモリなどがある。市場に流通させる場合には、ＣＤ−ＲＯＭ（Ｃｏｍｐａｃｔ  Ｄｉｓｋ  Ｒｅａｄ  Ｏｎｌｙ  Ｍｅｍｏｒｙ）やフレキシブルディスクなどの可搬型記録媒体にプログラムを格納して流通させたり、ネットワークを介して接続されたコンピュータの記憶装置に格納しておき、ネットワークを通じて他のコンピュータに転送したりすることもできる。コンピュータで実行する際には、コンピュータ内のハードディスク装置などにプログラムを格納しておき、メインメモリにロードして実行する。
【００６５】
（付記１）部署名または業務または職制のいずれかに関する情報の入力を受け付けるステップと、前記受け付けた情報を元に、部署名または業務または職制のいずれかに関する情報と商品に関する情報とを対応付けて管理している、予めメモリに格納されたテーブルから、商品に関する情報を参照するステップと、前記参照した商品に関する情報を出力するステップとを備えたことを特徴とする情報出力方法。
【００６６】
（付記２）さらに、通信を介して人事異動に関する情報を収集するステップを備え、前記参照するステップは、前記収集するステップが収集した情報を元に、前記テーブルを参照することを特徴とする付記１記載の情報出力方法。
【００６７】
（付記３）前記商品は、什器であることを特徴とする付記１記載の情報出力方法。
【００６８】
（付記４）部署名または業務または職制のいずれかに関する情報の入力を受け付ける手段と、部署名または業務または職制のいずれかに関する情報と商品に関する情報とを対応付けて管理している、メモリに格納されたテーブルと、前記受け付けた情報を元に、前記テーブルから、商品に関する情報を参照する手段と、前記参照した商品に関する情報を出力する手段とを備えたことを特徴とする情報出力装置。
【００６９】
（付記５）コンピュータを動作させるためのプログラムであって、コンピュータを、部署名または業務または職制のいずれかに関する情報の入力を受け付ける手段と、前記受け付けた情報を元に、部署名または業務または職制のいずれかに関する情報と商品に関する情報とを対応付けて管理している、予めメモリに格納されたテーブルから、商品に関する情報を参照する手段と、前記参照した商品に関する情報を出力する手段として機能させるための情報出力プログラム。
【００７０】
（付記６）コンピュータを動作させるためのプログラムを格納した記憶媒体であって、コンピュータを、部署名または業務または職制のいずれかに関する情報の入力を受け付ける手段と、前記受け付けた情報を元に、部署名または業務または職制のいずれかに関する情報と商品に関する情報とを対応付けて管理している、予めメモリに格納されたテーブルから、商品に関する情報を参照する手段と、前記参照した商品に関する情報を出力する手段として機能させるためのプログラムを格納したことを特徴とする記憶媒体。
【００７１】
【発明の効果】
以上説明したように、本発明は、部署名や業務や職制等と什器情報とを予め対応付けて管理しておき、部署名や業務や職制等の入力に応じて什器情報を参照し出力する。従って、利用者が本発明の方法を利用すれば、什器を必要としている部門に関する情報を入力するだけで、必要な什器情報を容易に入手することが可能になる。また什器メーカが本発明の方法を利用すれば、顧客に提案すべき商品情報を容易に抽出することができる。
【００７２】
また、本発明は、インタネット等の通信を介して新規採用や人事異動に関する情報を収集し、収集した情報を元に什器情報を出力する。従って、什器メーカが本発明の方法を利用すれば、新規採用や人事異動を行なった、顧客である企業に対し販売促進を行なうべき対象製品の情報を容易に抽出することができる。
【図面の簡単な説明】
【図１】本発明を実現するためのシステム構成図である。
【図２】（Ａ）部署名マスタ、（Ｂ）職制マスタ、（Ｃ）商品マスタのデータ例である。
【図３】（Ｄ）顧客マスタ、（Ｅ）顧客別台帳のデータ例である。
【図４】本発明のサーバの処理を説明するフローである。
【図５】本発明のサーバの処理を説明するフローである。
【図６】入出力プログラム１４が出力する画面例である。
【符号の説明】
１  サーバ
２  利用者端末
３  ネットワーク
４  他のコンピュータ
１１  入出力プログラム
１２  更新プログラム
１３  検索プログラム
１４  収集プログラム
２１  部署名マスタ
２２  職制マスタ
２３  商品マスタ
２４  顧客マスタ
２５  顧客別台帳
【図１】
2004234121.tif 000003
【図２】
2004234121.tif 000004
【図３】
2004234121.tif 000005
【図４】
2004234121.tif 000006
【図５】
2004234121.tif 000007
【図６】
2004234121.tif 000008